(57)【要約】【課題】口腔内の様々な部分を押したり、さすったりする複数の動きに対応できる使用性に優れた口腔内マッサージ器、及び前記口腔内マッサージ器を備える口腔内マッサージセットを提供することを目的とする。【解決手段】長尺の把持部１０と、把持部１０の先端から延出する弾性体であるマッサージ部１２とを備え、マッサージ部１２は、先端寄りに口腔内に挿入して作用させる作用部１３を有し、マッサージ部１２の全長Ｌが６０．０〜１１０．０ｍｍであり、マッサージ部１２は、丸みを帯びた先端部分１４を有し、かつ正面部分１８が曲面状に膨出し、側面視における作用部１３の長さをＬＡ（ｍｍ）、正面視において幅の拡大が終わる先端部分１４の後端１４ａの幅をｄＢ（ｍｍ）としたとき、ＬＡ／ｄＢが１．７〜６．０である、口腔内マッサージ器１。【選択図】図１
2020031847.tif 000002
【特許請求の範囲】
【請求項１】
長尺の把持部と、前記把持部の先端から延出する弾性体であるマッサージ部とを備える口腔内マッサージ器であって、
前記マッサージ部は、先端寄りに口腔内に挿入して作用させる作用部を有し、
前記マッサージ部の全長Ｌが６０．０〜１１０．０ｍｍであり、
前記作用部は、丸みを帯びた先端部分を有し、かつ正面部分が曲面状に膨出し、
側面視における前記先端部分の前記正面部分側の縁を形成する曲線において、曲率中心が前記正面部分の表面に対して前記マッサージ部の軸と反対側に転じる前記作用部の後端までの長軸方向の長さをＬＡ（ｍｍ）、正面視における前記先端部分の縁を形成する曲線において、幅の拡大が終わる前記先端部分の後端の幅をｄＢ（ｍｍ）としたとき、ＬＡ／ｄＢが１．７〜６．０である、口腔内マッサージ器。
【請求項２】
前記マッサージ部の長さ方向の先端から３．０ｍｍの部分を正面側から背面側に向かって１０ｍｍ／秒の速度で弾いたときの反発力ＦＡが０．６〜２．１Ｎである、請求項１に記載の口腔内マッサージ器。
【請求項３】
前記マッサージ部の先端寄りの部分が背面側に反っている、請求項１又は２に記載の口腔内マッサージ器。
【請求項４】
前記マッサージ部の長さ方向の先端から３．０ｍｍの部分を背面側から正面側に向かって１０ｍｍ／秒の速度で弾いたときの反発力ＦＢが、前記反発力ＦＡに対して、１．２〜２．０倍である、請求項１〜３のいずれか一項に記載の口腔内マッサージ器。
【請求項５】
前記マッサージ部が、正面視で先端から後端に向かうにしたがって幅が広くなってから狭くなり、再び広がるくびれ形状を有する、請求項１〜４のいずれか一項に記載の口腔内マッサージ器。
【請求項６】
正面視において、前記マッサージ部における前記作用部よりも後端側の部分の幅が後端に向かうにつれて広がっており、前記作用部の後端の正面視における幅をｄＣ（ｍｍ）、前記マッサージ部の後端の幅をｄＡ（ｍｍ）としたとき、ｄＣ≦ｄＢ＜ｄＡであり、かつｄＣが７．０〜１３．０ｍｍであり、
ＬＡが２５．０〜６０．０ｍｍである、請求項１〜５のいずれか一項に記載の口腔内マッサージ器。
【請求項７】
側面視において、前記マッサージ部における前記作用部よりも後端側の厚みが後端に向かうにつれて厚くなっており、前記マッサージ部の後端の厚みをｄＤ（ｍｍ）、前記先端部分の後端の厚みをｄＥ（ｍｍ）、前記作用部の後端の厚みをｄＦ（ｍｍ）としたとき、ｄＦ≦ｄＥ＜ｄＤであり、かつｄＥが６．０〜１３．０ｍｍである、請求項１〜６のいずれか一項に記載の口腔内マッサージ器。
【請求項８】
前記把持部に、前記マッサージ部を振動させる振動発生手段が設けられている、請求項１〜７のいずれか一項に記載の口腔内マッサージ器。
【請求項９】
請求項１〜８のいずれか一項に記載の口腔内マッサージ器と、口腔内マッサージ用組成物とを備える、口腔内マッサージセット。
【発明の詳細な説明】
【技術分野】
【０００１】
本発明は、口腔内マッサージ器及び口腔内マッサージセットに関する。
【背景技術】
【０００２】
近年、数多くのハンディタイプの美顔器が開発されている。特に、超音波を使用する美顔器は、非常に細かな振動を肌の奥深くまで与えることができる。超音波によるマッサージにより、血行が促進され、リンパ液の流れが良くなるという効果が確認されている。また、それにより、肌の新陳代謝を活発化し、老廃物の排出を促すという効果も知られている。他にも、振動により美容液を肌の奥まで浸透させる効果や、毛穴のつまりを浮き上がらせる効果、顔の筋肉を鍛えてほうれい線を目立たなくする効果等、様々な効果が確認されている。
【０００３】
ほうれい線や口元のシワは、表皮だけではなく、真皮のコラーゲン減少、皮下脂肪のむくみ（筋肉を張りめぐる血管の流れが悪くなり、余剰の水が皮下組織に滲みだして膨らむこと）、筋肉のコリ、血行不良等も原因であることが知られている。これらの皮下深い部位のマッサージは、肌表面よりも口内の粘膜側からの方が物理的にアプローチしやすく、効果的である。
【０００４】
口の中から頬の裏をマッサージしてほうれい線や口元のシワを改善する美顔器としては、棒状の把持部の先端側に、弾性素材で構成されたマッサージ部が設けられた口腔内マッサージ器が知られている。マッサージ部としては、球状や楕円体状の先端部を有するもの、先端が丸みを帯びた棒状のもの、複数の突起を有するもの等が提案されている（特許文献１〜５）。
【先行技術文献】
【特許文献】
【０００５】
【特許文献１】特許第６１１２６４３号公報
【特許文献２】特開２０１３−２０２３９５号公報
【特許文献３】実用新案登録第３１８７４６２号公報
【特許文献４】特開２０１３−１１６２７１号公報
【特許文献５】実用新案登録第３１７８３１４号公報
【発明の概要】
【発明が解決しようとする課題】
【０００６】
口腔内のマッサージにおいては、頬の裏側の口角の横や頬骨の下あたり、唇の周辺等、口周り全体の筋肉を満遍なくほぐす必要がある。また、これらの口腔内の様々な部分は、それぞれ異なる硬さで構成され、部位によっては圧力がかかることで大きな変形を伴う。そのため、口腔内マッサージ器は、歯肉や歯牙を避けつつ、口腔内の様々な部分に対して、押す、さするといった複数の動きが簡便かつ十分に行えることが重要である。しかし、特許文献１〜５のような従来の口腔内マッサージ器は、ほうれい線の裏側（頬裏）をさする程度の単純な動きしか想定しておらず、前記のような複数の動きへの対応が不十分であった。
【０００７】
本発明は、口腔内の様々な部分を押したり、さすったりする複数の動きに対応できる使用性に優れた口腔内マッサージ器、及び前記口腔内マッサージ器を備える口腔内マッサージセットを提供することを目的とする。
【課題を解決するための手段】
【０００８】
本発明は、以下の構成を有する。
［１］長尺の把持部と、前記把持部の先端から延出する弾性体であるマッサージ部とを備える口腔内マッサージ器であって、
前記マッサージ部は、先端寄りに口腔内に挿入して作用させる作用部を有し、
前記マッサージ部の全長Ｌが６０．０〜１１０．０ｍｍであり、
前記作用部は、丸みを帯びた先端部分を有し、かつ正面部分が曲面状に膨出し、
側面視における前記先端部分の前記正面部分側の縁を形成する曲線において、曲率中心が前記正面部分の表面に対して前記マッサージ部の軸と反対側に転じる前記作用部の後端までの長軸方向の長さをＬＡ（ｍｍ）、正面視における前記先端部分の縁を形成する曲線において、幅の拡大が終わる前記先端部分の後端の幅をｄＢ（ｍｍ）としたとき、ＬＡ／ｄＢが１．７〜６．０である、口腔内マッサージ器。
［２］前記マッサージ部の長さ方向の先端から３．０ｍｍの部分を正面側から背面側に向かって１０ｍｍ／秒の速度で弾いたときの反発力ＦＡが０．６〜２．１Ｎである、［１］に記載の口腔内マッサージ器。
［３］前記マッサージ部の先端寄りの部分が背面側に反っている、［１］又は［２］に記載の口腔内マッサージ器。
［４］前記マッサージ部の長さ方向の先端から３．０ｍｍの部分を背面側から正面側に向かって１０ｍｍ／秒の速度で弾いたときの反発力ＦＢが、前記反発力ＦＡに対して、１．２〜２．０倍である、［１］〜［３］のいずれかに記載の口腔内マッサージ器。
［５］前記マッサージ部が、正面視で先端から後端に向かうにしたがって幅が広くなってから狭くなり、再び広がるくびれ形状を有する、［１］〜［４］のいずれかに記載の口腔内マッサージ器。
［６］正面視において、前記マッサージ部における前記作用部よりも後端側の部分の幅が後端に向かうにつれて広がっており、前記作用部の後端の正面視における幅をｄＣ（ｍｍ）、前記マッサージ部の後端の幅をｄＡ（ｍｍ）としたとき、ｄＣ≦ｄＢ＜ｄＡであり、かつｄＣが７．０〜１３．０ｍｍであり、
ＬＡが２５．０〜６０．０ｍｍである、［１］〜［５］のいずれかに記載の口腔内マッサージ器。
［７］側面視において、前記マッサージ部における前記作用部よりも後端側の部分の厚みが後端に向かうにつれて厚くなっており、前記マッサージ部の後端の厚みをｄＤ（ｍｍ）、前記先端部分の後端の厚みをｄＥ（ｍｍ）、前記作用部の後端の厚みをｄＦ（ｍｍ）としたとき、ｄＦ≦ｄＥ＜ｄＤであり、かつｄＥが６．０〜１３．０ｍｍである、［１］〜［６］のいずれかに記載の口腔内マッサージ器。
［８］前記把持部に、前記マッサージ部を振動させる振動発生手段が設けられている、［１］〜［７］のいずれかに記載の口腔内マッサージ器。
［９］［１］〜［８］のいずれかに記載の口腔内マッサージ器と、口腔内マッサージ用組成物とを備える、口腔内マッサージセット。
【発明の効果】
【０００９】
本発明の口腔内マッサージ器及び口腔内マッサージセットは、使用性に優れ、口腔内の様々な部分を押したり、さすったりする複数の動きに対応できるため、口腔内マッサージの効果が十分に得られやすい。
【図面の簡単な説明】
【００１０】
【図１】本実施形態の口腔内マッサージ器を正面側から見た斜視図である。
【図２】図１の口腔内マッサージ器を側面側から見た斜視図である。
【発明を実施するための形態】
【００１１】
［口腔内マッサージ器］
以下、本発明の口腔内マッサージ器の一例について、図１及び図２に基づいて説明する。なお、以下の説明において例示される図の寸法等は一例であって、本発明はそれらに必ずしも限定されるものではなく、その要旨を変更しない範囲で適宜変更して実施することが可能である。
【００１２】
本実施形態の口腔内マッサージ器１は、図１及び図２に示すように、長尺の把持部１０と、把持部１０の先端から延出するマッサージ部１２とを備えている。マッサージ部１２は、先端寄りに、口腔内に挿入して作用させる作用部１３を有している。すなわち、口腔内マッサージ器１は、マッサージ部１２の少なくとも先端１２ａ寄りの作用部１３を口腔内に挿入し、マッサージの対象部位を押したり、さすったりして使用するものである。
本発明において、「作用部」とは、マッサージ部の側面視における、先端部分から正面部分を膨出する縁を形成する曲線において、曲率中心が正面部分の表面に対してマッサージ部の軸と反対側に転じるまでの部分を指す。すなわち、作用部の後端は、側面視における前記曲率中心が正面部分の表面に対してマッサージ部の軸と反対側に転じる反転位置である。マッサージ部が正面視においてくびれ形状を有する場合、作用部の後端（側面視における前記曲率中心の反転位置）は、マッサージ部の正面視におけるくびれ部分の最細部と一致することが望ましい。側面視において前記曲率中心の反転位置が明確ではない場合は、マッサージ部における先端から長軸方向に４５ｍｍまでの部分を作用部とする。なお、側面視において前記曲率中心が直線を一定区間保持したあとに反対側に転じる場合は、前記直線の後端の位置を作用部の後端（前記曲率中心の反転位置）とする（つまり、曲線、直線に関わらず、反対側に転じる地点を作用部の後端とする）。
【００１３】
この例の口腔内マッサージ器１は、マッサージ部１２が把持部１０に対して着脱可能なアタッチメント式になっている。なお、本発明の口腔内マッサージ器は、マッサージ部が把持部から取り外せないようになっていてもよい。
【００１４】
マッサージ部１２における作用部１３の先端部分１４は、曲面状に膨出して丸みを帯びている。
本発明において、「丸みを帯びた先端部分１４」とは、正面視で、作用部１３の先端１２ａから、先端１２ａを含む外側に膨らむ曲線状の縁形状における幅の拡大が終わる地点までの部分を意味する。先端部分１４の後端１４ａは、正面視で、作用部１３の先端１２ａを含む外側に膨らむ曲線状の縁形状における幅の拡大が終わる地点である。
【００１５】
この例のマッサージ部１２は、正面視で先端１２ａから後端１２ｂに向かうにしたがって幅が広くなってから狭くなり、再び広がるくびれ形状を有している。すなわち、マッサージ部１２は、正面視においてくびれているくびれ部分１６を有している。作用部１３の正面部分１８、すなわちマッサージ部１２におけるくびれ部分１６の最細部１６ａよりも先端１２ａ側の正面部分１８は、曲面状に膨出している。
【００１６】
正面視において、マッサージ部１２における作用部１３よりも後端側の部分の幅、すなわちマッサージ部１２の最細部１６ａから後端１２ｂまでの部分の幅は、後端１２ｂに向かうにつれて広がっている。側面視において、マッサージ部１２における作用部１３よりも後端側の部分の厚み、すなわちマッサージ部１２の最細部１６ａから後端１２ｂまでの部分の厚みは、後端１２ｂに向かうにつれて厚くなっている。
【００１７】
本発明では、マッサージ部の作用部よりも後端側の部分の幅及び厚みが、後端に向かうにつれて増大し、マッサージ部の幅及び厚みが後端において最大になっていることが好ましい。これにより、マッサージ部の重心がより後端に近くなることで、口腔内マッサージの際のマッサージ部の挙動がより安定になる。
【００１８】
正面視及び側面視でのマッサージ部１２の先端部分１４よりも後端１２ｂ側の縁形状は、曲線状であってもよく、直線状であってもよく、曲線と直線が組み合わされた形状であってもよい。
この例では、正面視でのマッサージ部１２の縁形状は、先端部分１４からくびれ部分１６にかけては曲線状に近づいてから離れるように変化し、そこから後端１２ｂにかけては互いに曲線状に離れるように変化している。側面視でのマッサージ部１２の縁形状は、先端部分１４が曲線状に広がり、先端部分１４の後端１４ａから最細部１６ａにかけて曲線状に窄まり、そこから後端１２ｂにかけては曲線状に広がっている。マッサージ部１２における最細部１６ａから後端１２ｂまでの部分の縁形状を構成する曲線は、曲率中心が該部分の表面に対してマッサージ部１２の軸と反対側にある曲線である。
【００１９】
側面視において、マッサージ部１２の先端１２ａ寄りの部分は、背面側に反っている。より詳細には、側面視において、マッサージ部１２の先端１２ａ寄りの部分の背面側の縁形状は、先端１２ａから後端１２ｂに向かうにしたがって、背面側に一旦膨らんでから正面側に凹むように曲線状に変化している。また、マッサージ部１２の先端１２ａ寄りの部分の正面側の縁形状は、先端１２ａから後端１２ｂに向かうにしたがって、正面側に膨らむように曲線状に変化している。
本発明の口腔内マッサージ器は、このようにマッサージ部の先端寄りの部分が背面側に反っていることが好ましい。このように、側面視において表面側と背面側を非対称とすることで、口腔内の様々な部分を押したり、さすったりする複数の動きに対応できる優れた使用性の口腔内マッサージ器が得られやすい。
【００２０】
マッサージ部１２の全長Ｌは、６０．０〜１１０．０ｍｍであり、７０．０〜１００．０ｍｍが好ましい。全長Ｌが前記範囲内であれば、口腔内の様々な部分を押したり、さすったりする複数の動きに対応できる優れた使用性が得られる。
【００２１】
マッサージ部１２の先端部分１４の正面視での縁形状の曲率半径は、１〜１０ｍｍが好ましく、１〜５ｍｍがより好ましい。前記曲率半径が前記範囲内であれば、マッサージ部１２の先端部分１４を用いてマッサージ対象部位を押す際により押しやすくなる。
【００２２】
正面視において、マッサージ部１２の後端１２ｂの幅ｄＡ（ｍｍ）、先端部分１４の後端１４ａの幅をｄＢ（ｍｍ）、作用部１３の後端の幅をｄＣ（ｍｍ）とする。また、側面視において、作用部１３の長さをＬＡ（ｍｍ）、マッサージ部１２の後端１２ｂの厚みをｄＤ（ｍｍ）、先端部分１４の後端１４ａの厚みをｄＥ（ｍｍ）、作用部１３の後端の厚みをｄＦ（ｍｍ）とする。
【００２３】
作用部１３の長さＬＡ、すなわち作用部１３の先端から後端までの長軸方向の長さは、マッサージ部１２で曲面状に膨出した正面部分１８が最も収束する地点から先端１２ａまでの長軸方向の長さである。より詳細には、マッサージ部１２の側面視における、先端部分１４の正面部分１８側の縁を形成する曲線において、先端から後端に向かって、曲率中心が正面部分１８の表面に対してマッサージ部１２の軸と反対側に転じる反転位置１７から先端１２ａまでの長軸方向の長さである。この例では、長軸方向において、側面視での反転位置１７と正面視での最細部１６ａの位置が一致している。すなわち、作用部１３の長さＬＡは、正面視における最細部１６ａから先端１２ａまでの長さと一致している。
また、この例では、正面視における先端部分１４の後端１４ａの幅ｄＢは、マッサージ部１２における正面視での最細部１６ａよりも先端１２ａ側の最大幅となる。正面視における作用部１３の後端の幅ｄＣは、マッサージ部１２の正面視における最細部１６ａの幅である。
側面視における先端部分１４の後端１４ａの厚みｄＥは、マッサージ部１２の正面視における先端部分１４の後端１４ａに対応する位置の厚みであり、この例では正面視で最細部１６ａよりも先端１２ａ側の最大幅の位置の厚みであり、また、側面視における正面部分１８が最も膨出した位置の厚みである。側面視における作用部１３の後端の厚みｄＦは、マッサージ部１２の正面視における最細部１６ａに対応する位置の厚みと一致している。
【００２４】
ＬＡ／ｄＢは、１．７〜６．０であり１．９〜５．０が好ましい。ＬＡ／ｄＢが前記範囲内であれば、口腔内の様々な部分を押したり、さすったりする複数の動きに対応できる優れた使用性が得られる。具体的には、伸縮を伴う口腔内の形状に対して正面部分１８の接触面積を長軸方向に長くなるように稼ぐことでフィット感が得られ、また先端部分１４から作用部１３の後端部に向けて一定の長さ範囲内で正面部分１８の膨出が収束するため、マッサージの対象とする部位に先端部分１４が届きやすく、先端部分１４を用いてマッサージ対象部位を押す際により押しやすくなる。
【００２５】
マッサージ部１２では、ｄＣ≦ｄＢ＜ｄＡであり、かつｄＣが７．０〜１３．０ｍｍであり、ＬＡが２５．０〜６０．０ｍｍであることが好ましい。特にｄＣ＜ｄＢ＜ｄＡであることが好ましい。これにより、口腔内マッサージ器１の使用性が向上し、口腔内の様々な部分を押したり、さすったりする複数の動きがより簡便かつ十分に行える。具体的には、くびれを設けることで正面部分１８に力をかけやすくなり、また、マッサージの対象とする部位に先端部分が届きやすく、先端部分１４を用いてマッサージ対象部位を押す際により押しやすくなる。更に、マッサージ部の重心がより後端に近くなることで、口腔内マッサージの際のマッサージ部の挙動がより安定になる。
【００２６】
作用部１３の長さＬＡは、２５．０〜６０．０ｍｍが好ましく、３０．０〜５０．０ｍｍがより好ましい。長さＬＡが前記範囲内であれば、口腔内マッサージ器１の使用性が向上し、口腔内の様々な部分を押したり、さすったりする複数の動きがより簡便かつ十分に行える。
【００２７】
正面視での先端部分１４の後端１４ａの幅ｄＢは、８．０〜１６．０ｍｍが好ましく、１０．０〜１４．０ｍｍがより好ましい。最大幅ｄＢが前記範囲内であれば、口腔内マッサージ器１の使用性が向上し、口腔内の様々な部分を押したり、さすったりする複数の動きがより簡便かつ十分に行える。
【００２８】
先端部分１４の長さＬＢは、１０．０〜３０．０ｍｍが好ましく、１５．０〜２０．０ｍｍがより好ましい。長さＬＢが前記範囲内であれば、口腔内マッサージ器１の使用性が向上し、口腔内の様々な部分を押したり、さすったりする複数の動きがより簡便かつ十分に行える。特に、マッサージの対象とする部位に先端部分が届きやすく、先端部分１４を用いてマッサージ対象部位を押す際により押しやすくなる。
この例では、先端部分１４の長さＬＢは、マッサージ部１２の先端１２ａから、正面視において最細部１６ａよりも先端１２ａ側で最大幅となる位置までの長さである。
【００２９】
正面視での作用部１３の後端の幅ｄＣは、７．０〜１３．０ｍｍが好ましく、８．０〜１２．０ｍｍがより好ましい。幅ｄＣが前記範囲内であれば、口腔内マッサージ器１の使用性が向上し、口腔内の様々な部分を押したり、さすったりする複数の動きがより簡便かつ十分に行える。特に作用部１３の正面部分１８を用いてマッサージ対象部位をさする際の力のかけやすさが向上する。
【００３０】
正面視でのマッサージ部１２の後端１２ｂの幅ｄＡは、１０．０〜４０．０ｍｍが好ましく、２０．０〜３５．０ｍｍがより好ましい。幅ｄＡが前記範囲内であれば、口腔内マッサージ器１の使用性が向上し、口腔内の様々な部分を押したり、さすったりする複数の動きがより簡便かつ十分に行える。特に、マッサージ部の重心がより後端に近くなることで、口腔内マッサージの際のマッサージ部の挙動がより安定になる。
【００３１】
マッサージ部１２では、ｄＦ≦ｄＥ＜ｄＤであり、かつｄＥが６．０〜１３．０ｍｍであることが好ましい。特にｄＦ＜ｄＥ＜ｄＤであることが好ましい。これにより、口腔内マッサージ器１の使用性が向上し、口腔内の様々な部分を押したり、さすったりする複数の動きがより簡便かつ十分に行える。特に、正面視にて横幅が広くなるｄＥの位置において厚みをｄＦ以上にすることで、正面部分１８に力をかけやすくなり、また、マッサージの対象とする部位に先端部分が届きやすく、先端部分１４を用いてマッサージ対象部位を押す際により押しやすくなる。また、マッサージ部の重心がより後端に近くなることで、口腔内マッサージの際のマッサージ部の挙動がより安定になる。
【００３２】
側面視での先端部分１４の後端１４ａの厚みｄＥは、６．０〜１３．０ｍｍが好ましく、７．０〜１２．０ｍｍがより好ましい。厚みｄＥが前記範囲内であれば、口腔内マッサージ器１の使用性が向上し、口腔内の様々な部分を押したり、さすったりする複数の動きがより簡便かつ十分に行える。特にマッサージ部１２の正面部分１８を用いてマッサージ対象部位をさする際の力のかけやすさが向上する。また、厚みｄＥは、正面視での先端部分１４の後端１４ａの幅ｄＢよりも小さくすることが、上記効果を向上させる点で、より好ましい。
【００３３】
側面視でのマッサージ部１２の後端１２ｂの厚みｄＤは、１０．０〜４０．０ｍｍが好ましく、２０．０〜３５．０ｍｍがより好ましい。厚みｄＤが前記範囲内であれば、口腔内マッサージ器１の使用性が向上し、口腔内の様々な部分を押したり、さすったりする複数の動きがより簡便かつ十分に行える。特に、マッサージ部の重心がより後端に近くなることで、口腔内マッサージの際のマッサージ部の挙動がより安定になる。
【００３４】
側面視での作用部１３の後端の厚みｄＦは、５．０〜１２．０ｍｍが好ましく、６．０〜１１．０ｍｍより好ましい。厚みｄＦが前記範囲内であれば、口腔内マッサージ器１の使用性が向上し、口腔内の様々な部分を押したり、さすったりする複数の動きがより簡便かつ十分に行える。具体的には、口腔内に積極的に入る先端部分１４から後端側へＬＡの距離までの区間の厚みをｄＦ以上にすることで、先端部分が届きやすく、先端部分１４を用いてマッサージ対象部位を押す際により押しやすくなり、正面部分１８を用いてマッサージ対象部位をさする際の力のかけやすさが向上する。
【００３５】
この例の作用部１３は、正面部分１８に複数の線状の突起２８が形成されている。本発明では、このようにマッサージ部の作用部の正面部分に複数の線状の突起が形成されていることが好ましい。これにより、マッサージ実感が向上するうえ、例えば正面部分を用いて頬裏をさする際の力のかけやすさが向上する。
【００３６】
作用部１３の突起２８の高さは、０．２〜５．０ｍｍが好ましく、１．０〜４．０ｍｍがより好ましい。なお、突起２８の高さは、先端１２ａを通り、かつ幅方向に垂直な平面で作用部１３を切断した断面における、突起２８の基端と先端との長軸方向に垂直な方向の距離とする。突起２８の高さが範囲内であれば、高いマッサージ実感が得られやすい。
【００３７】
突起２８の数は、マッサージ部の長軸方向における長さあたり、０．２５〜１．００本／ｍｍが好ましく、０．４０本〜０．７０本／ｍｍがより好ましい。突起２８の数が前記範囲内であれば、高いマッサージ実感が得られやすい。
複数の突起２８の配列パターンは、デザイン性、マッサージ実感の向上効果等を考慮して適宜設定すればよい。この例では、正面視で複数の突起２８がマッサージ部１２の長軸方向に対して斜めに配列されている。
【００３８】
マッサージ部１２は、弾性体である。これにより、把持部１０を把持して口腔内マッサージ器１を操作したときのマッサージ部１２の動きの追従性が向上する。なお、「マッサージ部が弾性体である」とは、マッサージ部が全体として弾性を有する部材であることを意味する。
マッサージ部１２の長さ方向の先端１２ａから３．０ｍｍの部分を正面側から背面側に向かって１０ｍｍ／秒の速度で弾いたときの反発力ＦＡは、０．６〜２．１Ｎが好ましく、０．８〜１．５Ｎがより好ましい。反発力ＦＡが前記範囲内であれば、口腔内マッサージ器１の使用性が向上し、口腔内の様々な部分を押したり、さすったりする複数の動きがより簡便かつ十分に行える。具体的には、伸縮を伴う口腔内の形状に対する正面部分１８のフィット感が向上し、正面部分１８を用いてマッサージ対象部位をさする際の力のかけやすさが向上する。
【００３９】
マッサージ部１２の長さ方向の先端１２ａから３．０ｍｍの部分を背面側から正面側に向かって１０ｍｍ／秒の速度で弾いたときの反発力ＦＢは、０．６〜２．１Ｎが好ましく、０．８〜１．５Ｎがより好ましい。反発力ＦＢが前記範囲内であれば、口腔内マッサージ器１の使用性が向上し、口腔内の様々な部分を押したり、さすったりする複数の動きがより簡便かつ十分に行える。特に、マッサージ部１２の先端部分１４を用いて押す際の押しやすさが向上する。
【００４０】
反発力ＦＡに対する反発力ＦＢの比率は、１．２〜２．０倍が好ましく、１．２〜１．５倍がより好ましい。前記比率が前記範囲内あれば、口腔内マッサージをより効果的に行える。具体的には、正面側と背面側の反発力を異ならせることで、伸縮を伴う口腔内の形状に対して先端部分１４の追随性が向上し、先端部分を用いた押しやすさが向上する。また、正面部分１８を用いた頬裏へのフィット感が向上し、更に好みの圧力でマッサージしやすくなる。
【００４１】
なお、反発力ＦＡ及び反発力ＦＢは、ＩＳＯ  ８６２７法（歯ブラシの硬さ規格）に準拠した装置を使用し、マッサージ部１２が下になるように、マッサージ部１２の後端１２ｂを冶具で鉛直方向に固定した状態で、１０ｍｍ／秒で移動する摩擦子でマッサージ部１２の長さ方向の先端１２ａから３ｍｍの部分を、弾いたときの抵抗値（単位：Ｎ）として測定する。
反発力ＦＡ及び反発力ＦＢは、マッサージ部を形成する材料の組み合わせや、形状により調節できる。
【００４２】
マッサージ部は、１つの部材からなるものであってもよく、２つ以上の部材を組み合わせたものであってもよい。この例のマッサージ部１２は、基部２０と、基部２０の先端側に設けられた軟質部２２とを備えている。基部２０は、把持部１０の先端に設けられた円錐台状の接続部２４と、接続部２４の先端面の中央から延びる棒状の軸芯２６とを備えている。軟質部２２は、軸芯２６が内部に挿入され、かつ接続部２４の外側面を被覆するように基部２０に着脱自在に取り付けられる。基部２０に取り付けた軟質部２２の後端２２ａはマッサージ部１２の後端１２ｂと一致している。マッサージ部１２では、軟質部２２の後端側から基部２０の軸芯２６を挿入するように、軟質部２２が基部２０に装着される。
接続部２４と把持部１０との接続形態は、特に限定されない。
【００４３】
マッサージ部１２の先端１２ａから、基部２０の接続部２４の先端２４ａ（軸芯２６の後端２６ｂ）までの長さＬＤは、５５．０〜１００．０ｍｍが好ましく、６５．０〜９０．０ｍｍがより好ましい。長さＬＤが前記範囲内であれば、口腔内マッサージ器１の使用性が向上し、口腔内の様々な部分を押したり、さすったりする複数の動きがより簡便かつ十分に行える。
【００４４】
マッサージ部１２を形成する材料としては、マッサージ部１２が全体として弾性体となる範囲で選択すればよく、反発力ＦＡや反発力ＦＢ、それらの比率が前記範囲を満たすように材料を選択することが好ましい。マッサージ部１２における口腔内のマッサージの際に唇や口腔内のマッサージ対象部位に接触する部分は少なくとも、軟質樹脂で形成されていることが好ましい。なお、軟質樹脂とは、ＪＩＳ  Ｋ  ７２１５のショアＡの硬度が７０以下の樹脂を意味する。
【００４５】
基部２０を形成する材料としては、ＪＩＳ  Ｋ  ７２１５のショアＡの硬度が７０超の硬質樹脂が好ましく、ＡＢＳ樹脂（アクリロニトリル・ブタジエン・スチレン共重合体）、ポリプロピレン、ポリスチレン、ポリエチレンテルフタレート、ポリブチレンテレフタレート、ポリシクロヘキシレンテレフタレート、ポリアセタール等が挙げられる。なかでも、加工性、電動仕様における耐衝撃性の点から、ＡＢＳ樹脂が好ましい。基部２０に使用する硬質樹脂は、１種でもよく、２種以上でもよい。
【００４６】
軟質部２２を形成する材料としては、ＪＩＳ  Ｋ  ７２１５のショアＡの硬度が１５〜７０の軟質樹脂が好ましく、２０〜６０の軟質樹脂がより好ましい。軟質樹脂の具体例としては、シリコン樹脂、イソプレンゴム、スチレン・ブタジエン共重合体等が挙げられる。なかでも、マッサージ実感、フィット性、追随性の点から、シリコン樹脂が好ましい。軟質部２２に使用する軟質樹脂は、１種でもよく、２種以上でもよい。
【００４７】
マッサージ部１２をこのような基部２０と軟質部２２の組み合わせにすることで、先端寄りの部分の適度に柔軟にしつつ、適度な弾性を確保することが容易になる。そのため、マッサージ部１２が根元から過度に撓んでしまうことが抑制され、十分なマッサージ効果が得られやすくなる。
【００４８】
マッサージ部１２の先端１２ａから少なくとも１０ｍｍの部分は、軸芯２６がなく、軟質樹脂のみで形成されていることが好ましい。すなわち、マッサージ部１２の先端１２ａから軸芯２６の先端２６ａまでの長さＬＣは、１０ｍｍ以上が好ましい。これにより、マッサージ部１２の先端１２ａ寄りの部分がより柔軟になり、マッサージの際の口腔内マッサージ器１を操作する動きへのマッサージ部１２の追従性が向上する。
【００４９】
長さＬＣは、１０ｍｍ以上が好ましく、１５〜３０ｍｍがより好ましい。長さＬＣが前記範囲の下限値以上であれば、マッサージの際の口腔内マッサージ器１を操作する動きへのマッサージ部１２の追従性が向上する。長さＬＣが前記範囲の上限値以下であれば、マッサージ部１２が根元から過度に撓んでしまうことを抑制しやすい。
【００５０】
マッサージ部１２においては、作用部１３の重心位置が、把持部１０の中心軸に対して背面側にずれていることが好ましい。これにより、口腔内マッサージ器１の使用性が向上し、口腔内の様々な部分を押したり、さすったりする複数の動きがより簡便かつ十分に行える。特にマッサージ部１２の先端部分１４を用いて押す際の押しやすさが向上し、また口腔内マッサージ器１の操作する動きへのマッサージ部１２の追従性が向上する。
前記重心位置は、マッサージ部１２の先端寄りの部分の反り形状や、材質により調節できる。
【００５１】
把持部１０の形状は、把持できる形状であれば特に制限されず、例えば、円柱状、四角柱状等が挙げられる。
把持部１０の長さは、特に限定されず、例えば、８０．０〜１５０．０ｍｍ程度とすることができる。
【００５２】
把持部１０を形成する材料としては、特に限定されず、例えば、基部２０の材料として挙げた硬質樹脂が挙げられる。把持部１０を形成する材料は、１種であってもよく、２種以上であってもよい。また、グリップ性を向上させるためにエラストマーを部分的に用いても良い。
【００５３】
把持部１０には、マッサージ部１２を振動させる振動発生手段が設けられていることが好ましい。これにより、口腔内のマッサージの際に対象部位に細かな振動を容易に与えることができる。
振動発生手段としては、特に限定されず、例えば、偏心モータ等が挙げられる。
【００５４】
本発明の口腔内マッサージ器の製造方法は、特に限定されず、射出成形等の公知の成形方法を採用できる。
【００５５】
本発明の口腔内マッサージ器を用いた口腔内マッサージ方法としては、例えば、下記のプログラム（Ｐ１）〜（Ｐ５）を行う方法が挙げられる。
（Ｐ１）口腔内マッサージ器のマッサージ部の作用部の先端部分を使って、頬の裏側における口角の横（口角から１ｃｍ程度）あたりを、頬を外側に押しながら直径１ｃｍ程度の円を描くように動かす。左右とも３０秒〜１分を目安に行う。
（Ｐ２）口腔内マッサージ器のマッサージ部の作用部の正面部分の全体を使って、頬を外側に押しながら、頬の裏側を上から下に一方向に動かす。左右とも３０秒〜１分を目安に行う。
（Ｐ３）口腔内マッサージ器のマッサージ部の作用部の先端部分を使って、口腔内の上奥歯の奥のくぼんでいる部分を、１〜２秒に１回くらいのゆっくりとしたペースで押す。左右とも１５秒を目安に行う。
（Ｐ４）口腔内マッサージ器のマッサージ部の作用部の先端部分を使って、頬の裏側の頬骨の下あたりを、１〜２秒に１回くらいのゆっくりとしたペースで下から押す。左右とも１５秒を目安に行う。
（Ｐ５）口腔内マッサージ器のマッサージ部の作用部の先端部分で唇周辺の裏側をなぞるように、外側に押しながらゆっくりとしたペースで動かす。５周を目安に行う。
【００５６】
従来の口腔内のマッサージは、ほうれい線の裏側（頬裏）を用具でなぞる程度であった。しかし、本発明の口腔内マッサージ器を用いて前記したプログラム（Ｐ１）〜（Ｐ５）を行えば、頬骨筋、頬筋、咬筋、口輪筋等の口周りの多くの表情筋やモダイオラスを刺激できるため、ほうれい線や口元のシワを効果的にケアできる。
【００５７】
以上説明したように、本発明の口腔内マッサージ器においては、把持部の先端側に設けられるマッサージ部の形状や、全長Ｌ、ＬＡ／ｄＢといった寸法が、特定の条件を満たすように制御されている。これにより、口腔内の様々な部分を押したり、さすったりする複数の動きに対応できる優れた使用性が得られる。そのため、本発明の口腔内マッサージ器を用いることで、口腔内マッサージの効果が十分に得られやすい。
【００５８】
本発明では、先端寄りの部分が背面側に反った形状のマッサージ部とすることで、プログラム（Ｐ１）、（Ｐ３）、（Ｐ４）におけるマッサージ部の先端部分を用いた押しやすさが向上する。また、プログラム（Ｐ２）における頬裏へのフィット感も向上する。
また、軸芯を有し、作用部の正面部分に複数の突起が形成されたマッサージ部とすることで、プログラム（Ｐ２）における力のかけやすさ、すべりにくさが向上する。
また、軸芯を有し、かつ少なくとも先端から１０ｍｍの部分を軟質樹脂のみで形成されたマッサージ部とすることで、プログラム（Ｐ５）における、口腔内マッサージ器１を操作する動きへのマッサージ部１２の追従性も向上する。
【００５９】
なお、本発明の口腔内マッサージ器は、前記した口腔内マッサージ器１には限定されない。例えば、マッサージ部の先端寄りの部分が背面側に反っていない口腔内マッサージ器であってもよい。
本発明の口腔内マッサージ器は、本発明の効果を損なわない範囲であれば、マッサージ部の最細部よりも後端側に幅や厚みが小さくなる部分があってもよい。
本発明の口腔内マッサージ器は、マッサージ部全体が軟質樹脂で形成されたものであってもよい。
本発明の口腔内マッサージ器は、マッサージ部に被せるキャップを有していてもよい。
【００６０】
本発明の口腔内マッサージ器は、マッサージ部がくびれ形状を有しないものであってもよい。例えば、正面視で、マッサージ部１２における先端部分１４よりも後端１２ｂ側の部分が、先端部分１４の後端１４ａから一定の区間は幅が一定で、それよりも後端１２ｂ側で徐々に幅が広がる口腔内マッサージ器であってもよい。また、正面視で、マッサージ部１２における先端部分１４よりも後端１２ｂ側の部分が、曲率中心が該部分の表面に対してマッサージ部１２の軸と反対側にある曲線状に広がり、作用部１３の縁形状において先端部分１４の後端１４ａに変曲点が存在する口腔内マッサージ器であってもよい。
本発明においては、使用性がより優れ、口腔内マッサージの効果が十分に得られやすい点から、マッサージ部がくびれ形状を有する口腔内マッサージ器が好ましい。
【００６１】
［口腔内マッサージセット］
本発明の口腔内マッサージ器を用いた口腔内マッサージは、口腔内の様々な部分を押したり、さすったりする複数の動きに対応できる優れた使用性を更に向上させるために、口腔粘膜を保護し、口腔内で接した部分の動きを滑らかにする口腔内マッサージ用組成物をマッサージ部に付着させた状態で行うことが好ましい。
【００６２】
口腔内マッサージ用組成物としては、口腔粘膜の保護効果が得られるものであればよく、ジェル状の組成物が好ましい。
口腔内マッサージ用組成物としては、例えば、（Ａ）成分：リン酸二水素ナトリウム及びリン酸一水素ナトリウムのいずれか一方又は両方と、（Ｂ）成分：アルギン酸ナトリウムと、（Ｃ）成分：キサンタンガム及びポリアクリル酸ナトリウムのいずれか一方又は両方と、を含有する組成物（以下、「組成物（Ｘ）」とも記す。）が挙げられる。
【００６３】
組成物（Ｘ）中の（Ａ）成分の含有量は、０．１〜１．０質量％が好ましく、０．３〜１．０質量％がより好ましく、０．３〜０．８質量％がさらに好ましい。（Ａ）成分の含有量が前記範囲の下限値以上であれば、マッサージ部から組成物（Ｘ）が垂れ落ちにくく、また口腔内で唾液により希釈されたときの粘度が低下しにくく、粘膜に対する優れた滞留性が得られやすい。（Ａ）成分の含有量が前記範囲の上限値以下であれば、異味を感じにくく、また口腔内で唾液により希釈されたときの粘度が低下しにくく、粘膜に対する優れた滞留性が得られやすい。
【００６４】
組成物（Ｘ）中の（Ｂ）成分の含有量は、０．１〜１．０質量％が好ましく、０．１〜０．５質量％がより好ましく、０．３〜０．５質量％がさらに好ましい。（Ｂ）成分の含有量が前記範囲の下限値以上であれば、口腔内で唾液により希釈されたときの粘度が低下しにくく、粘膜に対する優れた滞留性が得られやすい。（Ｂ）成分の含有量が前記範囲の上限値以下であれば、マッサージ初期において口腔内のマッサージ対象部位に組成物（Ｘ）が行き渡りやすい。
【００６５】
（Ｃ）成分としては、組成物（Ｘ）が口腔内で唾液により希釈されたときの粘度が低下しにくく、粘膜に対する優れた滞留性が得られやすい点から、キサンタンガムとポリアクリル酸ナトリウムを併用することが好ましい。
この場合、キサンタンガムに対するポリアクリル酸ナトリウムの質量比は、０．５〜２．０が好ましく、０．５〜１．０がより好ましい。前記質量比が前記範囲内であれば、組成物（Ｘ）が口腔内で唾液により希釈されたときの粘度が低下しにくく、粘膜に対する優れた滞留性が得られやすい。
【００６６】
組成物（Ｘ）中の（Ｃ）成分の含有量は、０．５〜１．５質量％が好ましく、０．７〜１．５質量％がより好ましく、０．７〜１．１質量％がさらに好ましい。（Ｃ）成分の含有量が前記範囲の下限値以上であれば、マッサージ部から組成物（Ｘ）が垂れ落ちにくい。（Ｃ）成分の含有量が前記範囲の上限値以下であれば、マッサージ初期において口腔内の対象部位に組成物（Ｘ）が行き渡りやすい。また、組成物（Ｘ）をポンプ型容器に充填した際の吐出性に優れる。
【００６７】
（Ｃ）成分に対する（Ｂ）成分の質量比（Ｂ／Ｃ）は、０．１〜１．０が好ましく、０．１０〜０．４５がより好ましく、０．３０〜０．４５がさらに好ましい。Ｂ／Ｃが前記範囲の下限値以上であれば、使用時に組成物（Ｘ）が口腔内で唾液により希釈されたときの粘度が低下しすぎることが抑制され、マッサージ中に口腔粘膜の保護効果を持続させるための、粘膜に対する優れた滞留性が得られやすい。Ｂ／Ｃが前記範囲の上限値以下であれば、マッサージ初期において口腔内の対象部位に組成物（Ｘ）が行き渡りやすい。
【００６８】
組成物（Ｘ）中の水溶性高分子の総質量に対する（Ｂ）成分と（Ｃ）成分の合計質量の割合は、７０質量％以上が好ましく、８０質量％以上がより好ましく、８５質量％以上がさらに好ましい。前記割合が前記下限値以上であれば、マッサージ部から組成物（Ｘ）が垂れ落ちにくく、また口腔粘膜の保護効果が持続しやすい。
なお、「水溶性高分子」とは、重量平均分子量が１，０００以上かつ、２０℃の水１００ｇに１ｇ以上溶解することのできる高分子を意味する。（Ｂ）成分と（Ｃ）成分は水溶性高分子である。
【００６９】
組成物（Ｘ）には、（Ａ）成分、（Ｂ）成分及び（Ｃ）成分以外の任意成分が含まれていてもよい。任意成分としては、界面活性剤、湿潤剤、香味剤、甘味剤、保存剤等が挙げられる。任意成分は、１種であってもよく、２種以上であってもよい。
界面活性剤を使用する場合、泡立ちにくい点からノニオン活性剤が好ましい。
【００７０】
組成物（Ｘ）は、水分を含むことが好ましい。
組成物（Ｘ）の水分量は、４０．０〜６０．０％が好ましく、４５．０〜６０．０％がより好ましい。水分量が前記範囲の下限値以上であれば、水溶性高分子が沈殿することを抑制しやすい。またマッサージ初期において口腔内の対象部位に組成物（Ｘ）が行き渡りやすい。水分量が前記範囲の上限値以下であれば、粘膜に対する優れた滞留性が得られやすい。
【００７１】
組成物（Ｘ）の２５℃での粘度（以下、「粘度ηＡ」とも記す。）は、５０００〜２００００ｍＰａ・ｓが好ましく、１００００〜２００００ｍＰａ・ｓがより好ましく、１００００〜１５０００ｍＰａ・ｓがさらに好ましい。粘度ηＡが前記範囲の下限値以上であれば、マッサージ部から組成物（Ｘ）が垂れ落ちにくく、また組成物（Ｘ）が口腔内で唾液により希釈されたときに粘度が低下しにくく、粘膜に対する優れた滞留性が得られやすい。粘度ηＡが前記範囲の上限値以下であれば、マッサージ初期において口腔内の対象部位に組成物（Ｘ）が行き渡りやすい。また、組成物（Ｘ）をポンプ型容器に充填した際の吐出性に優れる。
なお、組成物の粘度ηＡは、Ｂ型回転粘度計（東機産業株式会社製、ＴＶＢ−１０Ｈ）を用い、回転数２０ｒｐｍ、温度２５℃、１分間、ＴＨ５ローターを使用した条件にて測定される。
【００７２】
組成物（Ｘ）の人工唾液で３倍希釈したときの粘度（以下、「粘度ηＢ」とも記す。）は、１００〜１０００ｍＰａ・ｓが好ましく、２５０〜１０００ｍＰａ・ｓがより好ましく、２５０〜５００ｍＰａ・ｓがさらに好ましい。粘度ηＢが前記範囲の下限値以上であれば、組成物（Ｘ）が口腔内で唾液により希釈されたときに粘度が低下しにくく、粘膜に対する優れた滞留性が得られやすい。粘度ηＢが前記範囲の上限値以下であれば、マッサージ初期において口腔内の対象部位に組成物（Ｘ）が行き渡りやすい。
【００７３】
なお、組成物の粘度ηＢは、Ｂ型回転粘度計（東機産業株式会社製、ＴＶＢ−１０Ｍ）を用い、回転数３０ｒｐｍ、温度２５℃、１分間、ＴＭ２ローターを使用した条件にて測定される。
また、人工唾液は、１ｍＭ塩化カルシウム二水和物（ＣａＣｌ２・２Ｈ２Ｏ）、０．１ｍＭ塩化マグネシウム六水和物（ＭｇＣｌ２・６Ｈ２Ｏ）、及び５０ｍＭ塩化カリウムを含有するｐＨ７．０の液である。
【実施例】
【００７４】
以下、実施例によって本発明を具体的に説明するが、本発明は以下の記載によっては限定されない。
［反発力ＦＡ及び反発力ＦＢ］
各例の口腔内マッサージ器のマッサージ部の反発力ＦＡ及び反発力ＦＢは、ＩＳＯ  ８６２７法（歯ブラシの硬さ規格）に準拠した装置を使用し、マッサージ部が下になるように、マッサージ部の後端を冶具で固定した状態で、１０ｍｍ／秒で移動する摩擦子でマッサージ部の長さ方向の先端から３ｍｍの部分を弾いたときの抵抗値（単位：Ｎ）として測定した。
反発力ＦＡは、マッサージ部１２の長さ方向の先端１２ａから３．０ｍｍの部分を正面側から背面側に向かって弾いたときの抵抗値（単位：Ｎ）として測定した。反発力ＦＢは、マッサージ部１２の長さ方向の先端１２ａから３．０ｍｍの部分を背面側から正面側に向かって弾いたときの抵抗値（単位：Ｎ）として測定した。
【００７５】
［実施例１］
マッサージ部１２の先端１２ａ寄りの部分が背面側に反っていない以外は、図１及び図２に例示した口腔内マッサージ器１と同様の形態の口腔内マッサージ器を作製した。
マッサージ部１２の全長Ｌは９０．０ｍｍとした。マッサージ部１２の作用部１３の長さＬＡを４５．０ｍｍとした。正面視でのマッサージ部１２の後端１２ｂの幅ｄＡを２４．０ｍｍ、マッサージ部１２の先端部分１４の後端１４ａの幅ｄＢを１２．０ｍｍ、マッサージ部１２の作用部１３の後端の幅ｄＣを１０．０ｍｍとした。側面視でのマッサージ部１２の後端１２ｂの厚みｄＤを２５．０ｍｍ、マッサージ部１２の先端部分１４の後端１４ａの厚みｄＥを１１．０ｍｍ、マッサージ部１２の作用部１３の後端の厚みｄＦを１０．０ｍｍとした。また、マッサージ部１２の先端１２ａから軸芯２６の先端２６ａまでの長さＬＣを１８．０ｍｍとした。
把持部１０及び基部２０を形成する材料として、ＡＢＳ樹脂を用いた。軟質部２２を形成する材料として、シリコンゴム（ＥＬＡＳＴＯＳＩＬ社製、商品名「ＬＲ  ３００３／３０  Ａ／Ｂ」、硬度：Ａ３０）を用いた。
マッサージ部１２における作用部１３の重心位置は、把持部１０の中心軸と一致していた。反発力ＦＡは１．０Ｎであり、反発力ＦＢは１．０Ｎであった。
【００７６】
［実施例２］
軟質部２２を形成する材料としてシリコンゴム（ＥＬＡＳＴＯＳＩＬ社製、商品名「ＬＲ  ３００３／５０  Ａ／Ｂ」、硬度：Ａ５０）を用い、マッサージ部１２の先端１２ａ寄りの部分を背面側に反らせ、マッサージ部１２における作用部１３の重心位置を把持部１０の中心軸に対して背面側にずらした以外は、実施例１と同様の口腔内マッサージ器を作製した。反発力ＦＡは１．３Ｎであり、反発力ＦＢは２．１Ｎであった。
【００７７】
［実施例３〜６、８、９］
マッサージ部の各寸法を表１に示すとおりに変更した以外は、実施例１と同様の口腔内マッサージ器を作製した。
【００７８】
［実施例７］
マッサージ部１２の先端１２ａ寄りの部分を背面側に反らせ、マッサージ部１２における作用部１３の重心位置を把持部１０の中心軸に対して背面側にずらした以外は、実施例１と同様の口腔内マッサージ器を作製した。反発力ＦＡは０．９Ｎであり、反発力ＦＢは１．１Ｎであった。
【００７９】
［実施例１０］
実施例２と同じ口腔内マッサージ器を作製した。また、リン酸二水素ナトリウム（太平化学産業株式会社製）０．１質量部、アルギン酸ナトリウム（キミカアルギン、株式会社キミカ製）０．３質量部、キタンサンガム（モナートガムＤＡ、ＤＳＰ五協フード＆ケミカル株式会社製）１．０質量部、ソルビット液（７０％液）６５．０質量部、プロピレングリコール（分子量：７６．１０）３．０質量部、及び香料０．２質量部を精製水に加えて組成物（Ｘ−１）を調製した。組成物（Ｘ−１）の水分量は４９．９質量％、粘度ηＡは８０００ｍＰａ・ｓ、粘度ηＢは１００ｍＰａ・ｓであった。
実施例１０では、後述の使用性評価において、マッサージ部の正面部分に組成物（Ｘ−１）を約０．５ｇ載せてプログラム（Ｐ１）〜（Ｐ５）を行って評価した。
【００８０】
［比較例１、２］
マッサージ部の各寸法を表２に示すとおりに変更して略円錐状のマッサージ部とする以外は、実施例１と同様の口腔内マッサージ器を作製した。
【００８１】
［比較例３〜６］
マッサージ部の各寸法を表２に示すとおりに変更する以外は、実施例１と同様の口腔内マッサージ器を作製した。
【００８２】
［使用性評価］
各例の口腔内マッサージ器を使用して、下記のプログラム（Ｐ１）〜（Ｐ５）を行った。
（Ｐ１）口腔内マッサージ器のマッサージ部の作用部の先端部分を使って、頬の裏側における口角の横（口角から１ｃｍ程度）あたりを、頬を外側に押しながら直径１ｃｍ程度の円を描くように動かした。左右とも３０秒〜１分を目安に行った。
（Ｐ２）口腔内マッサージ器のマッサージ部の作用部の正面部分の全体を使って、頬を外側に押しながら、頬の裏側を上から下に一方向に動かした。左右とも３０秒〜１分を目安に行った。
（Ｐ３）口腔内マッサージ器のマッサージ部の作用部の先端部分を使って、口腔内の上奥歯の奥のくぼんでいる部分を、１〜２秒に１回くらいのゆっくりとしたペースで押した。左右とも１５秒を目安に行った。
（Ｐ４）口腔内マッサージ器のマッサージ部の作用部の先端部分を使って、頬の裏側の頬骨の下あたりを、１〜２秒に１回くらいのゆっくりとしたペースで下から押した。左右とも１５秒を目安に行った。
（Ｐ５）口腔内マッサージ器のマッサージ部の作用部の先端部分で唇周辺の裏側をなぞるように、外側に押しながらゆっくりとしたペースで動かした。５周を目安に行った。
【００８３】
プログラム（Ｐ１）、（Ｐ３）、（Ｐ４）におけるマッサージ部の作用部の先端部分による押しやすさ、プログラム（Ｐ２）におけるマッサージ部の作用部の正面部分での力のかけやすさ、プログラム（Ｐ５）における口腔内マッサージ器の操作へのマッサージ部の追従性を、それぞれ１点から７点までの７段階で判定した。判定点が高いほど評価が高いことを意味する。
各評価項目について、５人のパネラーによる判定点を平均し、以下の評価基準に基づいて評価した。
＜評価基準＞
◎◎◎  ：判定点の平均点が６．５点以上７点未満。
◎◎    ：判定点の平均点が６点以上６．５点未満。
◎      ：判定点の平均点が５．５点以上６点未満。
〇〇    ：判定点の平均点が５点以上５．５点未満。
〇      ：判定点の平均点が４．５点以上５点未満。
△      ：判定点の平均点が４点以上４．５点未満。
×      ：判定点の平均点が３．５点以上４点未満。
【００８４】
各例の口腔内マッサージ器のマッサージ部の寸法等の条件、及び評価結果を表１及び表２に示す。
【００８５】
【表１】
2020031847.tif 000003
【００８６】
【表２】
2020031847.tif 000004
【００８７】
表１及び表２に示すように、本発明で規定する条件を満たす実施例１〜１０の口腔内マッサージ器は、条件を満たさない比較例１〜６の口腔内マッサージ器に比べて、プログラム（Ｐ１）〜（Ｐ５）における使用性に優れ、複数の動きへの対応力が高かった。
【符号の説明】
【００８８】
１…口腔内マッサージ器、１０…把持部、１２…マッサージ部、１３…作用部、１４…先端部分、１６…くびれ部分、１６ａ…最細部、１８…正面部分、２０…基部、２２…軟質部、２４…接続部、２６…軸芯。
【図１】
2020031847.tif 000005
【図２】
2020031847.tif 000006